(57)【要約】【課題】  この発明は、基材に磁性材を付与し、該基材に励磁コイルから磁界を与えることにより磁性材による磁界変化を検知コイルで検知して、該磁性材に対応した基材の情報を検知する際に、励磁コイルの磁束方向と磁性材の長手方向とが略平行になるように励磁コイルを配置するとともに基材に磁性材を付与することにより、情報の検知精度を向上させた情報検知装置および方法を提供する。【解決手段】  基材に磁性材を付与し、該基材に励磁コイルから磁界を与えることにより磁性材による磁界変化を検知コイルで検知して、磁性材に対応した基材の情報を検知する情報検知装置において、励磁コイルの磁束方向と磁性材の長手方向とが略平行になるように励磁コイルを配置するとともに基材に磁性材を付与する。【選択図】  図７
2006195891.tif 000002
【特許請求の範囲】
【請求項１】
基材に磁性材を付与し、該基材に励磁コイルから磁界を与えることにより前記磁性材による磁界変化を検知コイルで検知して、前記磁性材に対応した基材の情報を検知する情報検知装置において、
前記励磁コイルの磁束方向と前記磁性材の長手方向とが略平行になるように前記励磁コイルを配置するとともに前記基材に前記磁性材を付与した
ことを特徴とする情報検知装置。
【請求項２】
前記基材は、
プリンタで所望の画像が印刷される印刷用紙若しくは複写機で所望の画像が複写される複写用紙である
ことを特徴とする請求項１記載の情報検知装置。
【請求項３】
前記磁性材は、
磁性材ワイヤーである
ことを特徴とする請求項１または２記載の情報検知装置。
【請求項４】
前記検知コイルは、
前記磁性材の磁化反転時の磁界変化を検出する
ことを特徴とする請求項１乃至３のいずれかに記載の情報検知装置。
【請求項５】
前記検知コイルは、
前記磁性材の磁歪振動による磁界変化を検出する
ことを特徴とする請求項１乃至３のいずれかに記載の情報検知装置。
【請求項６】
基材に磁性材を付与し、該基材に励磁コイルから磁界を与えることにより前記磁性材による磁界変化を検知コイルで検知して、前記磁性材に対応した基材の情報を検知する情報検知方法において、
前記励磁コイルの磁束方向と前記磁性材の長手方向とが略平行になるように前記励磁コイルを配置するとともに前記基材に前記磁性材を付与した
ことを特徴とする情報検知方法。
【発明の詳細な説明】
【技術分野】
【０００１】
この発明は、基材に磁性材を付与し、該基材に励磁コイルから磁界を与えることにより磁性材による磁界変化を検知コイルで検知して、該磁性材に対応した基材の情報を検知する情報検知装置および方法に関し、特に、励磁コイルの磁束方向と磁性材の長手方向とが略平行になるように励磁コイルを配置するとともに基材に磁性材を付与することにより、情報の検知精度を向上させた情報検知装置および方法に関する。
【背景技術】
【０００２】
近年、機密情報や個人情報等の漏洩防止、有価証券等の不正複写による偽造防止等、セキュリティ強化を目的とする種々の方法や装置が提供されている。
【０００３】
有価証券等の偽造防止を目的として、例えば特定のパターンや赤外線吸収剤を含有する特殊インク等が潜像された特殊用紙を用いて有価証券等を作成することで、有価証券等の偽造を防止する方法が提案されている。
【０００４】
この方法は、特殊用紙で作成された有価証券等がスキャナ（画像読取装置）や複写機等により複写された場合、特殊用紙に潜像された特定のパターン、特殊インク等が目視可能な状態で印刷され、複写物であることが識別されることで偽造が防止できるように構成されている。
【０００５】
また、例えば、特許文献１には、カラーコピー機等による偽造や有価証券用紙自体の偽造を極めて困難にする偽造防止用紙およびそれを用いた有価証券の提案がなされており、特許文献２には、特定原稿の複写行為が行われても、必ず特定のパターンを付加できる画像処理装置及び方法が提案されている。
【０００６】
上記特許文献１による提案は、パルプ繊維でなる紙基材に、メタメリックな色料を含有するインキが塗布された紙小片もしくは繊維片と、該メタメリックな色料を含有するインキと太陽光等通常光の下で同色相に見える通常色インキで着色された紙小片もしくは繊維片とが略同量漉き込まれた偽造防止用紙とすることで、カラーコピーされた有価証券類に色相が異なる２種の斑点状が現れ、偽造防止ができるように構成されている。
【０００７】
また、上記特許文献２による提案は、原稿からの画像と転写材からの画像とを合わせて原稿の特定性を判定することで、特定性のある原稿の出力画像を必ず加工して出力し、本来複写されるべきでない特定原稿（例えば紙幣）が複写された場合に、複写した装置の所在地を限定する手がかりとすることができるように構成されている。
【特許文献１】特開２００１−１５９０９４号公報
【特許文献２】特開平０５−２１９３５１号公報
【発明の開示】
【発明が解決しようとする課題】
【０００８】
しかし、上記特許文献１及び特許文献２に示される提案は、いずれも原稿や転写材、有価証券等の画像情報をスキャンする等の動作が必要であり、これらの動作を行うことなく有価証券等の不正複写を不可とする、もしくは特定原稿であるか否かを判定する方法や装置、偽造防止用紙等の提案が望まれる。
【０００９】
そこで、本発明は、基材に磁性材を付与し、該基材に励磁コイルから磁界を与えることにより磁性材による磁界変化を検知コイルで検知して、該磁性材に対応した基材の情報を検知する際に、励磁コイルの磁束方向と磁性材の長手方向とが略平行になるように励磁コイルを配置するとともに基材に磁性材を付与することにより、情報の検知精度を向上させた情報検知装置および方法を提供することを目的とする。
【課題を解決するための手段】
【００１０】
上記目的を達成するため、請求項１の発明は、基材に磁性材を付与し、該基材に励磁コイルから磁界を与えることにより前記磁性材による磁界変化を検知コイルで検知して、前記磁性材に対応した基材の情報を検知する情報検知装置において、前記励磁コイルの磁束方向と前記磁性材の長手方向とが略平行になるように前記励磁コイルを配置するとともに前記基材に前記磁性材を付与したことを特徴とする。
【００１１】
また、請求項２の発明は、請求項１の発明において、前記基材は、プリンタで所望の画像が印刷される印刷用紙若しくは複写機で所望の画像が複写される複写用紙であることを特徴とする。
【００１２】
また、請求項３の発明は、請求項１または２の発明において、前記磁性材は、磁性材ワイヤーであることを特徴とする。
【００１３】
また、請求項４の発明は、請求項１乃至３のいずれかの発明において、前記検知コイルは、前記磁性材の磁化反転時の磁界変化を検出することを特徴とする。
【００１４】
また、請求項５の発明は、請求項１乃至３のいずれかの発明において、前記検知コイルは、前記磁性材の磁歪振動による磁界変化を検出することを特徴とする。
【００１５】
また、請求項６の発明は、基材に磁性材を付与し、該基材に励磁コイルから磁界を与えることにより前記磁性材による磁界変化を検知コイルで検知して、前記磁性材に対応した基材の情報を検知する情報検知方法において、前記励磁コイルの磁束方向と前記磁性材の長手方向とが略平行になるように前記励磁コイルを配置するとともに前記基材に前記磁性材を付与したことを特徴とする。
【発明の効果】
【００１６】
本発明の情報検知装置および方法によれば、基材に磁性材を付与し、該基材に励磁コイルから磁界を与えることにより磁性材による磁界変化を検知コイルで検知して、磁性材に対応した基材の情報を検知する情報検知装置において、励磁コイルの磁束方向と磁性材の長手方向とが略平行になるように励磁コイルを配置するとともに基材に磁性材を付与したので、情報検知装置が基材に付与された磁性材を検知する際の基材の方向による誤検知が低減されると共に、磁性材に対応した基材の情報の検知精度が向上する。
【００１７】
また、最小限の数の磁性材を基材に付与しても基材に付与された磁性材が高精度で検知されるので、磁性材が付与された基材の作製コストが低減できると共に、基材に付与された磁性材の存在確認を困難としてセキュリティー効果を高め、基材上に印刷された画像情報が磁性材の存在により劣化することを防止できるという効果を奏する。
【発明を実施するための最良の形態】
【００１８】
以下、本発明に係わる情報検知装置および方法を複写機に適用した一例について添付図面を参照して詳細に説明する。
【実施例１】
【００１９】
本発明に係わる情報検知装置および方法は、機密情報や個人情報等の情報漏洩防止、あるいは文書管理等を目的として、例えば印刷装置や複写機、盗難防止装置等に適用され、機密情報等を印刷出力する場合は、予め磁性材が付与された基材（例えば印刷用紙）に印刷出力して文書管理を行い、あるいは機密情報等が印刷された用紙（例えば磁性材が付与された原稿や印刷物）が複写されようとした場合は、用紙に付与された磁性材を複写機に備えられた本発明に係わる情報検知装置が検知することで複写機の複写処理動作を禁止する制御を行う、あるいは機密情報等が印刷された用紙が不正に持ち出されようとした際には、盗難防止装置に備えられた本発明に係わる情報検知装置が検知して警報を発する等の不正持出し防止処理等を行うことで機密情報等が不正複写、もしくは不正持出しされることを防止し、機密情報の漏洩防止を可能とする。
【００２０】
図１は、本発明に係わる情報検知装置１００を備えた複写機１０の概略図であり、図１（ａ）は複写機１０を概略的に示したブロック図、図１（ｂ）は、複写機１０の概略的な斜視図である。
【００２１】
図１（ａ）、（ｂ）に示すように、複写機１０は、複写機１０のプラテンガラス１４上に置かれた原稿１に複数の磁性材１１１、１１２、１１３、１１４が付与されている場合は、原稿１に付与された複数の磁性材１１１、１１２、１１３、１１４の少なくとも１つ以上を検知し、検知結果の信号を出力する情報検知装置１００と、複写機１０の全体を統括制御し、情報検知装置１００の検知結果に基づき複写機１０による原稿１の画像情報を複写する動作を禁止する複写動作禁止制御、もしくは複写動作の制御を行う制御部１１と、プラテンガラス１４上に置かれた原稿１に対して光を投光し、該投光した光が原稿１で反射した反射光を図示せぬ光電変換素子（例えば、ＣＣＤ＝Ｃｈａｒｇｅ  Ｃｕｏｐｌｅ  Ｄｅｖｉｃｅ等）で受光して電気信号に変換し、光電変換素子で変換された電気信号に基づき原稿１に記録された画像を読み取る画像読取処理部１２と、画像読取処理部１２で読み取られた画像情報を用紙トレイ１６から給紙された図示せぬ用紙へ印刷出力して排紙トレイ１７へ排紙する画像生成処理部１３を備えている。
【００２２】
また、複写機１０のプラテンカバー１５の内部には、プラテンガラス１４上に置かれた原稿１に付与された磁性材１１１、１１２、１１３、１１４の少なくとも１つ以上を検知するための情報検知装置１００の励磁コイル１０１と検知コイル１０２とが配置されており、励磁コイル１０１からは所定の交番磁界が発信され、検知コイル１０２は、交番磁界や磁性材１１１、１１２、１１３、１１４から発せられる磁気パルス、電磁波等を受信する。
【００２３】
なお、励磁コイル１０１及び検知コイル１０２は、円形状に形成されており、プラテンカバー１５を閉じることでプラテンガラス１４上に載置された原稿１の紙面と励磁コイル１０１及び検知コイル１０２がそれぞれ形成する各面とが対面するように配設されている。
【００２４】
このように構成された複写機１０で原稿１の画像を複写する際には、複写機１０がプラテンガラス１４上に縦もしくは横向き（用紙の方向）で置かれる原稿１が複写可または複写不可の何れの原稿であるかを識別し、複写可の原稿であれば複写指示を受けることで複写動作を行い、複写不可の原稿であれば複写禁止動作を行う。
【００２５】
具体的には、複写機１０のプラテンガラス１４上に原稿１が例えば縦向き（複写機１０が原稿１を走査する走査方向に対して）に置かれ、プラテンカバー１５が閉じられて（図中の矢印方向）、図示せぬ複写開始ボタンが押下されると、複写機１０の制御部１１は、原稿１の複写動作に先立ち、情報検知装置１００を起動させ動作させる。
【００２６】
情報検知装置１００が動作すると、励磁コイル１０１から所定の交番磁界が発信され、当該交番磁界をプラテンガラス１４上の原稿１が受けることで、原稿１に付与された磁性材１１１、１１２、１１３、１１４が磁化反転時に急峻な磁気パルス、もしくは磁歪振動による電磁波を発する。
【００２７】
各磁性材から発せられる磁気パルス、もしくは電磁波は、検知コイル１０２で受信され情報検知装置１００により検知される。
【００２８】
複写機１０の制御部１１は、情報検知装置１００による原稿１の磁性材１１１、１１２、１１３、１１４の少なくとも１つ以上から発せられた磁気パルス、もしくは電磁波を検出することで原稿１が複写不可の原稿であることを認識し、「この原稿は複写不可です」等の複写禁止を示すメッセージまたは警告音等を出力するとともに複写処理動作の禁止制御を行う。
【００２９】
また、交番磁界を受けた原稿１からの磁気パルス、もしくは電磁波が情報検知装置１００により検知されない場合は、原稿１が複写可の原稿であると識別し、プラテンガラス１４上に置かれた原稿１の画像情報を画像読取処理部１２で読み取り、読み取った画像情報を用紙トレイ１６から給紙される用紙上に印刷して排紙トレイ１７へ排紙する。
【００３０】
このように、複写機１０は、プラテンガラス１４上に置かれた原稿１の複写処理動作を行う前に、原稿１が複写可または複写不可のいずれの原稿であるかを識別し、識別結果に応じて複写動作、もしくは複写禁止動作の制御を行うので機密情報等の複写不可とする原稿が不用意に複写されることを防止すると共に、不要な複写処理動作を抑えて複写機１０の省電力化を図ることができる。
【００３１】
なお、情報検知装置１００による原稿１の複写処理動作を行うか否かの判断は、原稿１がプラテンガラス１４上に置かれた後、複写機１０に対して複写開始指示後、もしくは複写開始指示前のどちらでもよく、特に限定されるものではない。
【００３２】
また、複写不可とするような原稿に付与される磁性材の数や配置位置については本発明の要部であるので、詳細説明は、後述する。
【００３３】
ここで、情報検知装置１００の構成について図２を参照し説明する。
【００３４】
図２は、本発明に係わる情報検知装置１００の要部の構成を示すブロック図であり、情報検知装置１００は、原稿に付与された磁性材に交番磁界を与え、当該交番磁界を磁性材が受けることで磁性材が磁化反転時に発する磁気パルスを検出するように構成されている。
【００３５】
図２に示すように、情報検知装置１００は、交流正弦波を生成し、所定の交番磁界を励磁コイル１０１を介して発信させる制御を行う励磁回路１０３と、励磁回路１０３で生成された交流正弦波に基づき所定の交番磁界を発信する励磁コイル１０１と、励磁コイル１０１から発信された所定の交番磁界と、当該交番磁界を原稿１が受けることで原稿１に付与された磁性材１１１、１１２、１１３、１１４がそれぞれ磁化され、これら磁性材が磁化反転により発する急峻な磁気パルスの少なくとも１つ以上を検知コイル１０２を介して検出する検知回路１０４と、検知回路１０４で検出された交番磁界の検出信号や各磁性材が発した磁気パルスの少なくとも１つ以上の検出信号を信号処理する信号処理部１０６と、信号処理部１０６で信号処理された情報に基づき原稿１に付与された磁性材の有無情報をビット出力するビット出力部１０７と、交番磁界の周期に応じたタイミングで交番磁界や磁気パルスを検知回路１０４が検知できるように励磁回路１０３と検知回路１０４とのタイミング制御を行うタイミング制御部１０５を備えている。
【００３６】
このように構成された情報検知装置１００は、例えば励磁回路１０３が周波数１ｋＨｚの交流正弦波の電流を励磁コイル１０１へ流す制御を行うことにより、周波数１ｋＨｚの交番磁界が励磁コイル１０１の形状（例えば円形状）に対応した所定の空間に発生する。
【００３７】
タイミング制御部１０５は、励磁回路１０３で生成された周波数１ｋＨｚの電流の立ち上がり方向で電流値が０になる時間、すなわち電流の向きが負から正へ逆転する時の時間を検出し、この検出した時間に交番磁界の一周期に一回のタイミングで検知回路１０４へ基準信号を出力する。
【００３８】
検知回路１０４は、タイミング制御部１０５から出力された基準信号のタイミングに基づき検知コイル１０２で受信された検出信号を検出する。
【００３９】
信号処理部１０６は、例えば、検知回路１０４が検出した検出信号から交番磁界成分を除去し、交番磁界成分除去後の信号のうちの正の信号成分を増幅し、ノイズ成分を除去して磁性材が磁化反転時に発した磁気パルスに対応したパルス信号を検出する。
【００４０】
信号処理部１０６で検出された検出パルス信号は、ビット出力部１０７へ出力され、ビット出力部１０７が検出パルス信号に基づき「１」または「０」の値で表現された磁性材の有無情報に変換し、複写機１０の制御部１１へ出力する。
【００４１】
このように、情報検知装置１００は、原稿１に対して交番磁界を与え、原稿１に付与された複数の磁性材が磁化反転時に発する磁気パルスの少なくとも１つ以上を検出することで原稿１に磁性材が付与されていることを検知し、検知結果を出力するように構成されている。
【００４２】
しかしながら、原稿に交番磁界を与え、当該交番磁界を原稿に付与された磁性材が受けることで磁性材が磁化反転時に発する磁気パルスを検出する場合は、励磁コイルから発信された交番磁界の磁束方向と磁性材の磁化容易軸方向とに応じて磁性材が磁化反転時に発する磁気パルスの検出出力に差異があることから、原稿に付与された磁性材の検知精度をより向上させるためには励磁コイル及び検知コイルの形状や各コイルと磁性材との配置関係が重要な要素となる。
【００４３】
図３は、情報検知装置１００の励磁コイル１０１及び検知コイル１０２の形状と、各コイル１０１、１０２と原稿に付与される磁性材との配置位置による磁性材の磁気特性について示したものである。
【００４４】
図３において、図３（ａ）は、励磁コイル１０１及び検知コイル１０２の形状と、各コイル１０１、１０２と原稿３０に付与された複数の磁性材３０１、３０２、３０３、３０４、３０５、３０６との配置位置の一例を示す図であり、図３（ｂ）は、励磁コイル１０１から発せられた磁界を受けることによる磁性材３０１、３０６の磁気特性を示す図、図３（ｃ）は、励磁コイル１０１から発せられた磁界を受けることによる磁性材３０３、３０４の磁気特性を示す図、図３（ｄ）は、励磁コイル１０１から発せられた磁界を受けることによる磁性材３０２、３０５の磁気特性を示す図である。
【００４５】
図３（ａ）に示すように、原稿３０に付与された磁性材３０１、３０２、３０３、３０４、３０５、３０６は、例えば、Ｆｅ−Ｃｏ系アモルファス材の磁性材ワイヤーであり、プラテンカバー１５を閉じてプラテンガラス１４上に載置された原稿３０の紙面と励磁コイル１０１及び検知コイル１０２が形成する各面とが対面した状態において、各磁性材が原稿３０の短手方向もしくは長手方向の何れかと平行になるように配置されている。
【００４６】
なお、磁性材ワイヤーは、磁性材ワイヤーの長さ方向に磁化容易軸を有しており、各磁性材３０１、３０２、３０３、３０４、３０５、３０６は、長さ及び線径が等しく、同一の保磁力Ｈ１を有する磁性材ワイヤーである。
【００４７】
磁性材３０１と３０６は、励磁コイル１０１及び検知コイル１０２を原稿３０の紙面上に垂直投影した励磁コイル１０１及び検知コイル１０２で形成される円（一点鎖線で示される円１０１、１０２。以下、「コイル投影円」と呼ぶ）上で、かつ当該コイル投影円の直径方向が原稿３０の長手方向と平行となる位置に長手方向と平行に配置されている。
【００４８】
このように配置された磁性材３０１と３０６は、励磁コイル１０１から発せられる交番磁界の磁束方向と各磁性材３０１、３０６の磁化容易軸方向とがそれぞれ平行であり、かつ磁性材３０１と３０６が配置された位置での励磁コイル１０１から発せられる交番磁界の磁界強度が大きいので、磁性材３０１と３０６は、励磁コイル１０１から発せられる交番磁界を受けて図３（ｂ）に示されるような磁気履歴曲線３１０の磁気特性を示し、磁気履歴曲線３１０に対応した保磁力Ｈ１での磁束電圧が計測される。
【００４９】
また、磁性材３０３と３０４は、コイル投影円の中心近傍に原稿３０の長手方向もしくは短手方向と平行に配置されており、各磁性材３０３、３０４が配置された位置では励磁コイル１０１から発せられる交番磁界の磁束方向と各磁性材３０１、３０６の磁化容易軸方向及び励磁コイル１０１から発せられる交番磁界の磁界強度に対応して図３（ｃ）に示されるような磁気履歴曲線３２０の磁気特性を示し、磁気履歴曲線３２０に対応した保磁力Ｈ１での磁束電圧が計測される。
【００５０】
なお、磁気履歴曲線３２０は、磁気履歴曲線３１０と比べて保磁力Ｈ１での磁束電圧が小さく計測される。
【００５１】
また、磁性材３０２と３０５は、コイル投影円上で、かつ当該コイル投影円の直径方向が原稿３０の短手方向と平行となる位置に長手方向と平行に配置されている。
【００５２】
各磁性材３０２と３０５が配置された位置での励磁コイル１０１から発せられる交番磁界の磁界強度は大きいが、励磁コイル１０１から発せられる交番磁界の磁束方向と各磁性材３０２、３０５の磁化容易軸方向とがそれぞれ垂直となるので、磁性材３０２と３０５は、励磁コイル１０１から発せられる交番磁界を受けて図３（ｄ）に示されるような磁気履歴曲線３３０の磁気特性を示し、磁気履歴曲線３３０に示されるように保磁力Ｈ１での磁束電圧の計測は困難となる。
【００５３】
次に、励磁コイル１０１から交番磁界を与えることで各磁性材３０１、３０２、３０３、３０４、３０５、３０６が付与された原稿３０から検出される検出信号波形に基づく磁性材の検知方法について図４乃至図６を参照しながら詳細に説明する。  
図４は、前述の図３で示した原稿３０において、磁性材３０１、３０６が交番磁界を受けることで発する磁気パルスが検知されるまでを検出信号波形に対応させて示した図である。
【００５４】
図４（ａ）は、原稿３０に付与された磁性材３０１、３０６と励磁コイル１０１及び検知コイル１０２との配置位置を示す図、図４（ｂ）は、励磁コイル１０１から発せられた交番磁界を受けることによる磁性材３０１、３０６の磁気特性を示す図、図４（ｃ）は、検知コイル１０２を介して検知回路１０４で検出される検出信号波形４００を示す図、図４（ｄ）は、検知回路１０４で検出された検出信号波形４００から信号処理部１０６による信号処理により検出された磁気パルスに対応したパルス信号を示す図である。
【００５５】
前述の図３でも示したように、図４（ａ）に示される原稿３０に付与された磁性材３０１と３０６は、励磁コイル１０１から発せられる交番磁界の磁束方向と各磁性材３０１、３０６の磁化容易軸方向とがそれぞれ平行で、かつ励磁コイル１０１から発せられる交番磁界の磁界強度が大きく与えられるように配置されているので、磁性材３０１と３０６は、励磁コイル１０１から発せられる交番磁界を受けて図４（ｂ）に示すような磁気履歴曲線３１０の磁気特性を示し、保磁力Ｈ１を有する磁性材３０１、３０６は、磁界強度が略Ｈ１もしくは−Ｈ１になった交番磁界を受けることで磁化反転し、その際に急峻な磁気パルスをそれぞれ発する。
【００５６】
交番磁界と、磁性材３０１、３０６が発する磁気パルスは、検知コイル１０２で受信され、検知回路１０４において、図４（ｃ）に示すような検出信号波形４００で検出される。
【００５７】
検出信号波形４００に示されるように、検出信号波形４００には、交番磁界に対応して検出される交番磁界波形４０１と、保磁力Ｈ１を有する磁性材３０１、３０６が交番磁界の磁界強度が略Ｈ１もしくは−Ｈ１になった磁界を受けた際に磁化反転し、その時に発した急峻な磁気パルスと、その磁界強度に対応した検出出力のパルス信号Ａ、Ｂが検出される。
【００５８】
なお、パルス信号Ａは、タイミング制御部１０５から出力された基準信号に基づき検出信号波形４００の交番磁界の磁界強度が略Ｈ１になる時間ｔ１の時に検出され、パルス信号Ｂは、検出信号波形４００の交番磁界の磁界強度が略−Ｈ１になる時間ｔ２の時に検出される。
【００５９】
検知回路１０４で検出された検出信号波形４００は、信号処理部１０６へ出力され、検出信号波形４００のうちの交番磁界成分の信号波形４０１が除去されてパルス信号Ａ、Ｂのうちの正の信号成分であるパルス信号Ａが検出され、更に増幅されてノイズ成分除去後、図４（ｄ）に示すような検出出力がＶ１の検出パルス信号Ａが検出される。
【００６０】
信号処理部１０６で検出された検出パルス信号Ａは、ビット出力部１０７へ出力され、ビット出力部１０７が検出パルス信号Ａに基づきビット情報に対応付けされて磁性材３０１、３０６の検知情報として出力される。
【００６１】
なお、検出パルス信号Ａが検出された場合は、原稿３０に磁性材が付与されている旨を示す「１」、検出パルス信号Ａが検出されなかった場合は、原稿３０に磁性材が付与されていない旨を示す「０」のビット情報が出力される。
【００６２】
図５は、原稿３０に付与された磁性材３０３、３０４が交番磁界を受けることで発する磁気パルスが検知されるまでを検出信号波形に対応させて示した図である。
【００６３】
図５（ａ）は、原稿３０に付与された磁性材３０３、３０４と各コイル１０１、１０２との配置位置を示す図、図５（ｂ）は、励磁コイル１０１から発せられた交番磁界を受けることによる磁性材３０３、３０４の磁気特性を示す図、図５（ｃ）は、検知コイル１０２を介して検知回路１０４で検出される検出信号波形５００を示す図、図５（ｄ）は、検知回路１０４で検出された検出信号波形５００から信号処理部１０６による信号処理により検出された磁気パルスに対応したパルス信号を示す図である。
【００６４】
図５（ａ）に示される原稿３０に付与された磁性材３０３と３０４は、各磁性材３０３、３０４が配置された位置での励磁コイル１０１から発せられる交番磁界の磁束方向と各磁性材３０３、３０４の磁化容易軸方向と、励磁コイル１０１から発せられる交番磁界の磁界強度に対応して図５（ｂ）に示されるような磁気履歴曲線３２０の磁気特性を示し、保磁力Ｈ１を有する磁性材３０３、３０４は、磁界強度が略Ｈ１もしくは−Ｈ１になった交番磁界を受けることで磁化反転し、その際に急峻な磁気パルスをそれぞれ発する。
【００６５】
交番磁界と、磁性材３０３、３０４が発する磁気パルスは、検知コイル１０２で受信され、検知回路１０４において、図５（ｃ）に示すような検出信号波形５００で検出される。
【００６６】
検出信号波形５００に示されるように、検出信号波形５００には、交番磁界に対応して検出される交番磁界波形５０１と、保磁力Ｈ１を有する磁性材３０３、３０４が交番磁界の磁界強度が略Ｈ１もしくは−Ｈ１になった交番磁界を受けた際に磁化反転し、その時に発した急峻な磁気パルスと、その磁界強度に対応した検出出力のパルス信号Ｃ、Ｄが検出される。
【００６７】
なお、パルス信号Ｃは、前述に示したパルス信号Ａ（図４（ｃ）参照）と同様にタイミング制御部１０５から出力された基準信号に基づき検出信号波形５００の交番磁界の磁界強度が略Ｈ１になる時間ｔ１の時に検出され、パルス信号Ｄは、検出信号波形５００の交番磁界の磁界強度が略−Ｈ１になる時間ｔ２の時に検出される。
【００６８】
検知回路１０４で検出された検出信号波形５００は、信号処理部１０６へ出力され、検出信号波形５００のうちの交番磁界成分の信号波形５０１が除去されてパルス信号Ｃ、Ｄのうちの正の信号成分であるパルス信号Ｃが検出され、更に増幅されてノイズ成分除去後、図５（ｄ）に示すような検出出力がＶ２の検出パルス信号Ｃが検出される。
【００６９】
なお、検出パルス信号Ｃの検出出力Ｖ２は、検出パルス信号Ａの検出出力Ｖ１と比べて小さな値で検出される。
【００７０】
信号処理部１０６で検出された検出パルス信号Ｃは、ビット出力部１０７へ出力され、ビット出力部１０７が検出パルス信号Ｃに基づきビット情報に対応付けされて磁性材が検知された旨を示す「１」のビット情報に対応付けされて出力される。
【００７１】
図６は、原稿３０に付与された磁性材３０２、３０５が交番磁界を受けることで発する磁気パルスが検知されるまでを検出信号波形に対応させて示した図である。
【００７２】
図６（ａ）は、原稿３０に付与された磁性材３０２、３０５と各コイル１０１、１０２との配置位置を示す図、図６（ｂ）は、励磁コイル１０１から発せられた磁界を受けることによる磁性材３０２、３０５の磁気特性を示す図、図６（ｃ）は、検知コイル１０２を介して検知回路１０４で検出される検出信号波形６００を示す図、図６（ｄ）は、検知回路１０４で検出された検出信号波形６００から信号処理部１０６による信号処理により検出された磁気パルスに対応したパルス信号を示す図である。
【００７３】
図６（ａ）に示される原稿３０に付与された磁性材３２３と３０５は、励磁コイル１０１から発せられる交番磁界の磁界強度が大きく与えられるように配置されているが、励磁コイル１０１から発せられる交番磁界の磁束方向と各磁性材３０２、３０５の磁化容易軸方向とがそれぞれ垂直となるので、磁性材３０２と３０５は、励磁コイル１０１から発せられる交番磁界を受けて図６（ｂ）に示すような磁気履歴曲線３３０の磁気特性を示し、磁性材３０２、３０５は殆ど磁化されないので磁化反転時に発する磁気パルスも殆ど検出されない。
【００７４】
したがって、検知回路１０４において検出される検出信号は、図６（ｃ）に示すような検出信号波形６００で検出され、殆ど交番磁界の波形信号６０１で検出される。
【００７５】
検知回路１０４で検出された検出信号波形６００は、信号処理部１０６へ出力され、検出信号波形６００のうちの交番磁界成分の信号波形６０１が除去され、更に増幅されてノイズ成分除去後は、図６（ｄ）に示すような検出出力が殆ど零の値で検出される。
【００７６】
信号処理部１０６で検出結果は、ビット出力部１０７へ出力され、ビット出力部１０７が検出結果に基づき原稿３０に磁性材が付与されていない旨を示す「０」のビット情報に対応付けされて出力される。
【００７７】
このように、原稿に磁性材が付与されている場合であっても磁性材を検知する情報検知装置１００の励磁コイル１０１及び検知コイル１０２の形状と、原稿に付与された磁性材と励磁コイル１０１及び検知コイル１０２との配置位置により情報検知装置１００で検知される磁性材の検知精度が異なる。
【００７８】
そこで、本発明に係わる磁性材が付与された基材および情報検知装置１００においては、複写機１０のプラテンガラス１４上に縦もしくは横向き（用紙の方向）で置かれる原稿（基材）に対して機密情報等の原稿に付与された磁性材の有無を確実に検知できるように、情報検知装置１００の励磁コイル１０１及び検知コイル１０２の形状と、原稿に付与された磁性材と励磁コイル１０１及び検知コイル１０２との配置位置との組み合わせにより原稿に付与された磁性材の検知精度をより向上させるような構成とした。
【００７９】
図７は、複写機１０のプラテンガラス１４上に原稿が縦、横、表、裏の何れの方向で載置された場合であっても原稿に付与された磁性材が発する磁気パルスの検出出力が最大で検出されるように配置された複数の磁性材が付与された原稿３１と、情報検知装置１００の励磁コイル１０１及び検知コイル１０２との形状とその配置の一例を示す図である。
【００８０】
なお、励磁コイル１０１及び検知コイル１０２を説明の便宜上、１本の一点鎖線で示す。
【００８１】
図７に示すように、原稿３１は、原稿３１の短手方向の長さがａ、長手方向の長さがｂの大きさの用紙であり、情報検知装置１００の励磁コイル１０１及び検知コイル１０２（一点鎖線で示される円）は、それぞれ直径がＤの円形状のコイルである。
【００８２】
励磁コイル１０１及び検知コイル１０２の配設位置は、原稿３１を複写機１０のプラテンガラス１４上に横置き（図７に示した状態）に載置し、プラテンカバー１５を閉じた際の各コイル１０１、１０２の中心位置が原稿３１の紙面上に垂直投影した場合に原稿３１の（ａ／２、ａ／２）の位置となるように配置されている。
【００８３】
原稿３１には、保磁力Ｈｃを有する磁性材３１１、３１２、３１３、３１４、３１５、３１６、３１７、３１８が原稿３１上の基準点（０、０）からの配置位置（Ｘ、Ｙ）がそれぞれ磁性材３１１が（（ａ−Ｄ）／２、ａ／２）、磁性材３１２が（ａ／２、（ａ−Ｄ）／２）、磁性材３１３が（ａ／２、（ａ＋Ｄ）／２）、磁性材３１４が（（ａ＋Ｄ）／２、ａ／２）、磁性材３１５が（ｂ−（ａ＋Ｄ）／２、ａ／２）、磁性材３１６が（ｂ−ａ／２、（ａ−Ｄ）／２）、磁性材３１７が（ｂ−ａ／２、（ａ＋Ｄ）／２）、磁性材３１８が（ｂ−（ａ−Ｄ）／２、ａ／２）で算出される位置に配置され付与されている。
【００８４】
各磁性材の配置位置は、各コイル１０１、１０２を原稿３１の紙面上に垂直投影した円（一点鎖線で示されるコイル投影円１０１、１０２）上に磁性材３１１、３１２、３１３、３１４のうちの少なくとも１つ以上と、原稿３１の長手方向を２等分する２等分線３２１を軸としてコイル投影円１０１、１０２を１８０度回転させて対称となるように紙面上に形成される仮想の円１０３、１０４（破線で示される円１０３、１０４。以下、「仮想円」と呼ぶ）上に配置された磁性材３１５、３１６、３１７、３１８のうちの少なくとも１つ以上とが配置付与されていることで、原稿３１が複写機１０のプラテンガラス１４上に縦、横、表、裏の何れの方向で載置された場合であっても原稿３１に付与された各磁性材のうちの何れかの磁性材が発する磁気パルスの検出出力が最大となるような磁気パルスを励磁コイル１０１からの交番磁界を受けることで発する。
【００８５】
なお、コイル投影円１０１、１０２（一点鎖線で示される円）上に配置された磁性材３１１、３１２、３１３、３１４と、仮想円１０３、１０４（破線で示される円）上に配置された磁性材３１５、３１６、３１７、３１８は、原稿３１の縦置き、横置きに対応して磁性材３１１、３１４、３１５、３１８が原稿３１の長手方向に平行に配置され、磁性材３１２、３１３、３１６、３１７が原稿３１の短手方向に平行にそれぞれ配置されており各磁性材は同じ長さである。
【００８６】
原稿３１に付与された各磁性材の配置位置に基づき原稿が複写機１０のプラテンガラス１４上に縦、横、表、裏の何れの方向で載置された場合であっても、原稿に付与された複数の磁性材のうちの何れかの磁性材が発する磁気パルスの検出出力が最大となる具体例を図８乃至図１０を参照しながら詳細に説明する。
【００８７】
図８は、前述の図７で示したコイル投影円１０１、１０２（一点鎖線で示される円）上に配置された磁性材３１１、３１２と、仮想円１０３、１０４（破線で示される円）上に配置された磁性材３１７、３１８とが付与された原稿３２の一例を示す図である。
【００８８】
なお、図８において、原稿３２は、複写機１０のプラテンガラス１４上に横置された場合の基準となる表面、横置きの状態を示す図である。
【００８９】
図８に示すように、各磁性材３１１、３１２、３１７、３１８は、前述の図７でも示したように、磁性材３１１が（（ａ−Ｄ）／２、ａ／２）、磁性材３１２が（ａ／２、（ａ−Ｄ）／２）、磁性材３１７が（ｂ−ａ／２、（ａ−Ｄ）／２）、磁性材３１８が（ｂ−（ａ−Ｄ）／２、ａ／２）で示される原稿３２上の所定の位置に配置付与されており、情報検知装置１００の各コイル１０１、１０２の中心位置が原稿３２の（ａ／２、ａ／２）の位置となるように配置されている。
【００９０】
原稿３２を例えばＡ４サイズの用紙とし、励磁コイル１０１及び検知コイル１０２の直径Ｄが「１８０」ｍｍとすると、原稿３２の短手方向の長さａが「２１０」ｍｍ、長手方向の長さｂが「２９７」ｍｍ、原稿３２の紙面上の磁性材３１１の配置位置（Ｘ、Ｙ）が（１５、１０５）、磁性材３１２が（１０５、１５）、磁性材３１７が（１９２、１９５）、磁性材３１８が（２８２、１０５）で算出される。
【００９１】
この原稿３２を、複写機１０のプラテンガラス１４上に縦、横、表、裏のそれぞれの用紙方向で載置すると、図９に示すような励磁コイル１０１及び検知コイル１０２と各磁性材３１２、３１３、３１７、３１８の配置関係となる。
【００９２】
図９は、磁性材３１１、３１２、３１７、３１８が付与された原稿３２が複写機１０のプラテンガラス１４上に横向き、かつ表裏の各紙面の状態で置かれた場合の各磁性材と励磁コイル１０１及び検知コイル１０２との配置位置を示す図である。
【００９３】
図９（ａ）は、図８で示した原稿３２がプラテンガラス１４上に横置された場合の基準となる表面、横置きの原稿３２を示す図であり、図９（ｂ）は、図９（ａ）で示した表面、横置きの原稿３２（基準紙面）を１８０度回転させて長手方向と短手方向とのそれぞれが天地転倒した表面、横置きの原稿３２を示す図、図９（ｃ）は、図９（ａ）で示した表面、横置き（基準紙面）の原稿３２を長手方向を軸として１８０度回転させて紙面を反転させた裏面、横置きの原稿３２を示す図、図９（ｄ）は、図９（ａ）で示した表面、横置きの原稿３２（基準紙面）を短手方向を軸として１８０度回転させて紙面を反転させた裏面、横置きの原稿３２を示す図である。
【００９４】
また、図１０（ａ）は、原稿３２がプラテンガラス１４上に縦置された場合の基準となる表面、縦置きの原稿３２を示す図であり、図１０（ｂ）は、図１０（ａ）で示した表面、縦置きの原稿３２（基準紙面）を１８０度回転させて長手方向と短手方向とのそれぞれが天地転倒した表面、縦置きの原稿３２を示す図、図１０（ｃ）は、図１０（ａ）で示した表面、縦置き（基準紙面）の原稿３２を長手方向を軸として１８０度回転させて紙面を反転させた裏面、縦置きの原稿３２を示す図、図１０（ｄ）は、図１０（ａ）で示した表面、縦置きの原稿３２（基準紙面）を短手方向を軸として１８０度回転させて紙面を反転させた裏面、縦置きの原稿３２を示す図である。
【００９５】
図９（ａ）、（ｃ）に示すように、表面、横置きの原稿３２（基準紙面）（図９（ａ）参照）と、裏面、横置きの原稿３２（図９（ｃ）参照）とは、磁性材３１１、３１２が励磁コイル１０１から発せられる交番磁界の磁束方向と磁性材３１１、３１２の磁性材の磁化容易軸方向とが平行で、かつ励磁コイル１０１から発せられる磁界強度が大きな交番磁界を受けるので、磁性材３１１、３１２が受けた交番磁界の磁界強度が略Ｈｃもしくは−Ｈｃになった時に磁性材３１１、３１２が磁化反転し、その際に検出出力が大きな急峻な磁気パルスを発し、その磁気パルスが情報検知装置１００で検知される。
【００９６】
また、図９（ｂ）、（ｄ）に示すように、表面、横置きの原稿３２（図９（ｂ）参照）と、裏面、横置きの原稿３２（図９（ｄ）参照）とは、磁性材３１７、３１８が励磁コイル１０１から発せられる交番磁界の磁束方向と磁性材３１７、３１８の磁性材の磁化容易軸方向とが平行で、かつ励磁コイル１０１から発せられる磁界強度が大きな交番磁界を受けるので、磁性材３１７、３１８が受けた交番磁界の磁界強度が略Ｈｃもしくは−Ｈｃになった時に磁性材３１７、３１８が磁化反転し、その際に検出出力が大きな急峻な磁気パルスを発し、その磁気パルスが情報検知装置１００で検知される。
【００９７】
また、図１０（ａ）、（ｃ）に示すように、表面、縦置きの原稿３２（基準紙面）（図１０（ａ）参照）と、裏面、横置きの原稿３２（図１０（ｃ）参照）とは、磁性材３１１、３１２が励磁コイル１０１から発せられる交番磁界の磁束方向と磁性材３１１、３１２の磁性材の磁化容易軸方向とが平行で、かつ励磁コイル１０１から発せられる磁界強度が大きな交番磁界を受けるので、磁性材３１１、３１２が受けた交番磁界の磁界強度が略Ｈｃもしくは−Ｈｃになった時に磁性材３１１、３１２が磁化反転し、その際に検出出力が大きな急峻な磁気パルスを発し、その磁気パルスが情報検知装置１００で検知される。
【００９８】
また、図１０（ｂ）、（ｄ）に示すように、表面、縦置きの原稿３２（図１０（ｂ）参照）と、裏面、縦置きの原稿３２（図１０（ｄ）参照）とは、磁性材３１７、３１８が励磁コイル１０１から発せられる交番磁界の磁束方向と磁性材３１７、３１８の磁性材の磁化容易軸方向とが平行で、かつ励磁コイル１０１から発せられる磁界強度が大きな交番磁界を受けるので、磁性材３１７、３１８が受けた交番磁界の磁界強度が略Ｈｃもしくは−Ｈｃになった時に磁性材３１７、３１８が磁化反転し、その際に検出出力が大きな急峻な磁気パルスを発し、その磁気パルスが情報検知装置１００で検知される。
【００９９】
このように、情報検知装置１００の励磁コイル１０１及び検知コイル１０２が円形状の場合においては、原稿の長手方向と、短手方向の各長さと、励磁コイル及び検知コイルの各直径と、各コイルの原稿上の中心位置とに基づき特定される配置位置に複数の磁性材が付与された原稿を用いることで、原稿に付与された磁性材の検出出力が大きく検出され、磁性材の検知精度がより向上する。
【０１００】
なお、前述の図８で示した原稿３２では、４本の磁性材３１１、３１２、３１７、３１８が原稿３２の所定の配置位置に付与されていることで、原稿３２を表裏、縦横のいずれの用紙方向で載置されても磁性材が発する磁気パルスの検出出力が最大となる磁性材が常に２本存在するような構成例を示したが、原稿３２の所定の位置に配置された磁性材３１１及び３１２の何れか１本と、磁性材３１７及び３１８の何れか１本が付与された原稿でも前述で示した原稿を表裏、縦横の何れの用紙方向で載置されても磁性材が発する磁気パルスの検出出力が最大となる磁性材が１本存在し、原稿に付与された磁性材を確実に検知することが可能である。
【０１０１】
また、図７で示した原稿３１のように、８本の磁性材３１１、３１２、３１３、３１４、３１５、３１６、３１７、３１８の全てが付与されている場合は、原稿３１を表裏、縦横のいずれの用紙方向で載置されても磁性材が発する磁気パルスの検出出力が最大となる磁性材が常に４本存在するので、原稿に付与された磁性材の検知精度がより向上する。
【０１０２】
このように各コイル１０１、１０２を原稿３１の紙面上に垂直投影したコイル投影円（一点鎖線で示される円）１０１、１０２上に配置された磁性材３１１、３１２、３１３、３１４のうちの少なくとも１つ以上と、原稿３１の長手方向を２等分する２等分線３２１を軸としてコイル投影円１０１、１０２を１８０度回転させた仮想円（破線で示される円）１０３、１０４上に配置された磁性材３１５、３１６、３１７、３１８のうちの少なくとも１つ以上とが配置付与されていることで、原稿３１が複写機１０のプラテンガラス１４上に縦、横、表、裏の何れの方向で載置された場合であっても原稿３１に付与された各磁性材のうちの何れかの磁性材が磁気パルスの検出出力が最大となるような磁気パルスを励磁コイル１０１からの交番磁界を受けることで発するので原稿に付与された磁性材を確実に検知することができる。
【０１０３】
また、情報検知装置１００の励磁コイル１０１及び検知コイル１０２が円形状の場合においては、コイル投影円（一点鎖線で示される円）１０１、１０２上に当該円の直径方向と平行に磁性材を少なくとも１つ以上と、原稿上の仮想円（破線線で示される円）１０３、１０４上に当該円の直径方向と平行に磁性材を少なくとも１つ以上配置付与することで、原稿が複写機１０のプラテンガラス１４上に縦、横、表、裏の何れの方向で載置された場合であっても原稿に付与された各磁性材のうちの何れかの磁性材が発する磁気パルスの検出出力が最大となるような磁気パルスを励磁コイル１０１からの交番磁界を受けることで発するので原稿に付与された磁性材を確実に検知することができる。
【０１０４】
これまでは、本発明に係わる情報検知装置の励磁コイル及び検知コイルの形状が円形状の場合を想定して説明した。
【０１０５】
次に、長方形の形状をした励磁コイル及び検知コイルが２組配置された情報検知装置を想定して説明する。
【０１０６】
図１１は、複写機１０のプラテンガラス１４上に原稿が縦、横、表、裏の何れの方向で載置された場合であっても原稿に付与された磁性材が発する磁気パルスの検出出力が最大で検出されるように配置された複数の磁性材が付与された原稿３３と、情報検知装置２００の励磁コイル１２１及び検知コイル１２２と、励磁コイル１２３及び検知コイル１２４との各形状の一例を示す図である。
【０１０７】
なお、図１１においては、情報検知装置２００及びその構成は、示されていないが、情報検知装置２００は、図１で示した情報検知装置１００の励磁コイル１０１及び検知コイル１０２を励磁コイル１２１及び検知コイル１２２と、励磁コイル１２３及び検知コイル１２４とに置き換え、励磁コイル１２１と励磁コイル１２３とが近接する各コイル側には同方向の磁界が形成されるような制御を行うように構成されており、その他の構成及び動作については磁性材検知１００の動作と同様であるので情報検知装置２００の構成及び動作の詳細は省略する。  
図１１に示すように、情報検知装置２００の励磁コイル１２１、１２３及び検知コイル１２２、１２４（一点鎖線で示される長方形）は、長方形の形状をしており、励磁コイル１２１と検知コイル１２２及び励磁コイル１２３と検知コイル１２４とでそれぞれ組みを成して２組の励磁コイルと検知コイルとが複写機１０のプラテンカバー１５の内部に配置されている。
【０１０８】
なお、長方形状に形成された励磁コイル１２１、１２３及び検知コイル１２２、１２４は、プラテンカバー１５を閉じることでプラテンガラス１４上に載置された原稿３３の紙面と各コイルが形成する各面とが対面するように配設されている。
【０１０９】
原稿３３は、原稿３３の長手方向を２等分する２等分線３４１と、原稿３３の短手方向を２等分する２等分線３４２との交点Ｃの位置に磁性材３３２が原稿３３の長手方向と平行で、かつ２等分線３４１が磁性材３３２を２等分するように配置されて付与され、磁性材３３１と３３３とが原稿３３の短手方向とそれぞれ平行で、かつ２等分線３４１上に磁性材３３２を挟んで対向するように磁性材３３２の近傍に配置されて付与されている。
【０１１０】
なお、各磁性材の長さは同じであり、その長さは、励磁コイル１２１と励磁コイル１２３とが近接する各コイル側の励磁コイル１２１と励磁コイル１２３との離間距離よりも大きい。
【０１１１】
また、励磁コイル１２１と励磁コイル１２３、検知コイル１２２と検知コイル１２４とは、それぞれ各コイルを原稿３３の紙面上に垂直投影した形状（一点鎖線で示される長方形）が２等分線３４１を軸としてそれぞれ対称となるように配置されて付与されている。
【０１１２】
図１２は、前述の図１１で示した磁性材３３１、３３２、３３３が付与された原稿３３が複写機１０のプラテンガラス１４上に横向き、かつ表裏の各紙面の状態で置かれた場合の各磁性材と、励磁コイル１２１及び検知コイル１２２と励磁コイル１２３及び検知コイル１２４との配置位置を示す図である。
【０１１３】
図１２（ａ）は、原稿３３がプラテンガラス１４上に横置された場合の基準となる表面、横置きの原稿３３を示す図であり、図１２（ｂ）は、図１２（ａ）で示した表面、横置きの原稿３３（基準紙面）を１８０度回転させて長手方向と短手方向とのそれぞれが天地転倒した表面、横置きの原稿３３を示す図、図１２（ｃ）は、図１２（ａ）で示した表面、横置き（基準紙面）の原稿３３を長手方向を軸として１８０度回転させて紙面を反転させた裏面、横置きの原稿３３を示す図、図１２（ｄ）は、図１２（ａ）で示した表面、横置きの原稿３３（基準紙面）を短手方向を軸として１８０度回転させて紙面を反転させた裏面、横置きの原稿３３を示す図である。
【０１１４】
また、図１３（ａ）は、原稿３３がプラテンガラス１４上に縦置された場合の基準となる表面、縦置きの原稿３３を示す図であり、図１３（ｂ）は、図１３（ａ）で示した表面、縦置きの原稿３３（基準紙面）を１８０度回転させて長手方向と短手方向とのそれぞれが天地転倒した表面、縦置きの原稿３３を示す図、図１３（ｃ）は、図１３（ａ）で示した表面、縦置き（基準紙面）の原稿３３を長手方向を軸として１８０度回転させて紙面を反転させた裏面、縦置きの原稿３３を示す図、図１３（ｄ）は、図１３（ａ）で示した表面、縦置きの原稿３３（基準紙面）を短手方向を軸として１８０度回転させて紙面を反転させた裏面、縦置きの原稿３３を示す図である。
【０１１５】
図１２（ａ）乃至（ｄ）に示すように、原稿３３が横置された場合は、原稿３３の同一紙面において、１８０度回転させて原稿３３の長手方向と短手方向とのそれぞれが天地転倒されて載置された場合もしくは原稿３３の紙面が表裏の何れであっても、磁性材３３２が励磁コイル１２１、１２３から発せられる交番磁界の磁束方向と磁性材３３２の磁性材の磁化容易軸方向とが平行で、かつ励磁コイル１２１、１２３から発せられる磁界強度が大きな交番磁界を受けるので、磁性材３３２が受けた交番磁界の磁界強度が略Ｈｃもしくは−Ｈｃになった時に磁性材３３２が磁化反転し、その際に検出出力が大きな急峻な磁気パルスを発し、その磁気パルスが情報検知装置２００で検知される。
【０１１６】
また、図１３（ａ）、（ｄ）に示すように、表面、縦置きの原稿３３（基準紙面）（図１３（ａ）参照）と、裏面、縦置きの原稿３３（図１３（ｄ）参照）とは、各コイルに対する各磁性材の配置が同様となり、磁性材３３１が励磁コイル１２１、１２３から発せられる交番磁界の磁束方向と磁性材３３１の磁化容易軸方向とが平行で、かつ励磁コイル１２１、１２３から発せられる磁界強度が大きな交番磁界を受けるので、磁性材３３１が受けた交番磁界の磁界強度が略Ｈｃもしくは−Ｈｃになった時に磁性材３３１が磁化反転し、その際に検出出力が大きな急峻な磁気パルスを発し、その磁気パルスが情報検知装置２００で検知される。
【０１１７】
また、また、図１３（ｂ）、（ｃ）に示すように、表面、縦置きの原稿３３（図１３（ｂ）参照）と、裏面、縦置きの原稿３３（図１３（ｃ）参照）とは、各コイルに対する各磁性材の配置が同様となり、磁性材３３３が励磁コイル１２１、１２３から発せられる交番磁界の磁束方向と磁性材３３３の磁化容易軸方向とが平行で、かつ励磁コイル１２１、１２３から発せられる磁界強度が大きな交番磁界を受けるので、磁性材３３３が受けた交番磁界の磁界強度が略Ｈｃもしくは−Ｈｃになった時に磁性材３３３が磁化反転し、その際に検出出力が大きな急峻な磁気パルスを発し、その磁気パルスが情報検知装置２００で検知される。
【０１１８】
以上の説明では、原稿に付与された磁性材に対して交番磁界を与え、磁性材が磁化反転時に発する磁気パルスの検出結果に基づき原稿に付与された磁性材を検知する情報検知装置１００もしくは情報検知装置２００を備えた複写機１０の例について説明した。
【０１１９】
ここでは、原稿に付与された磁性材に対して交番磁界を与え、磁性材が磁歪振動することで発する電磁波の検出結果に基づき原稿に付与された磁性材を検知する情報検知装置３００を複写機１０に適用した場合について説明する。
【０１２０】
なお、複写機１０の情報検知装置１００もしくは２００を情報検知装置３００と置き換え、情報検知装置３００で検知可能な磁性材が磁界を受けることで磁歪振動するような磁気特性を有する磁性材が原稿に付与されている他は、前述で説明した複写記１０の構成及び動作と同様であるので、ここでは、情報検知装置３００の構成及び情報検知装置３００が原稿に付与された磁性材を検知する動作について詳細に説明する。
【０１２１】
図１４は、情報検知装置３００の要部の構成を示すブロック図である。
【０１２２】
図１４に示すように、情報検知装置３００は、原稿３４に付与された磁性材４１１、４１２、４１３、４１４に所定の交番磁界を与え、各磁性材が磁歪振動により発する電磁波を検出することで、原稿３４に付与された磁性材の存在有無を検知するように構成されている。
【０１２３】
なお、励磁コイル１２５から発信される交番磁界は、所定の低周波から所定の高周波へ順次変化し、所定の高周波に達したら再び所定の低周波から所定の高周波へ順次変化するような動作を繰り返すように構成されている。
【０１２４】
情報検知装置３００の構成は、具体的には、励磁コイル１２５を介して低周波から高周波へ順次変化する所定の交番磁界を発信させるための制御を行う励磁回路２０３と、励磁コイル１２５から発信される所定の交番磁界を受けることで、原稿３４に付与された磁性材が磁歪振動し、その際に発せられる電磁波を検知コイル１２６を介して電圧信号で検出する検知回路２０４と、検知回路２０４で検出された検出信号に基づき原稿３４に付与された磁性材の有無情報をビット出力するビット出力部２０７と、励磁回路２０３及び検知回路２０４との周波数制御を行う周波数制御回路２０５を備えている。
【０１２５】
なお、周波数制御回路２０５は、励磁回路２０３で生成した交番磁界の周波数に対応して検知回路２０５の図示せぬバンドパスフィルター回路等の設定周波数を帯域制限等の制御動作を行う。
【０１２６】
このように構成された情報検知装置３００は、例えば励磁回路２０３において、図示せぬ電圧制御発振回路（例えば、ＶＣＯ＝Ｖｏｌｔａｇｅ  Ｃｏｎｔｒｏｌｌｅｄ  Ｏｓｃｉｌｌａｔｏｒ等）に電圧を供与し、電圧制御発振回路で制御された電圧に応じた波形信号を生成し、生成された波形信号を電力増幅して励磁コイル１２５を介して低周波から高周波へ、もしくは高周波から低周波へ連続して直線的に変化する交番磁界を発信するような制御を行う。
【０１２７】
なお、ここでは、所定の低周波から所定の高周波へ連続して直線的に変化する交番磁界を間欠的に発信する。
【０１２８】
具体的には、所定の低周波の交番磁界を一定時間発信後、一定時間発信を停止し、次に高い所定周波数の交番磁界を一定時間発信後、一定時間発信を停止して順次同様な発信と発信停止を所定の高周波に達するまで繰り返す。
【０１２９】
そして、交番磁界の周波数が所定の高周波に達したら、再び所定の低周波から所定の高周波へ連続して直線的に変化する交番磁界の発信と発信停止の動作を繰り返す。
【０１３０】
このように励磁コイル１２５からは所定の低周波から所定の高周波へ連続して直線的に変化する交番磁界が間欠的に励磁コイル１２５から発信され、検知回路２０４は、各磁性材が交番磁界を受けて磁歪振動することで、原稿３４に付与された磁性材が発する電磁波を検知コイル１２６を介して検出し、検出信号に基づき原稿３４の磁性材の有無情報を「１」または「０」の値でビット出力する。
【０１３１】
具体的には、検知コイル１２６を介して検出された各磁性材のうちの少なくとも１つ以上の磁性材の磁歪振動により発せられる電磁波は、電圧信号の受信信号として検出され、検知回路２０４内の図示せぬバンドパスフィルター回路等で濾波され、図示せぬ増幅回路等で増幅されて原稿３４に付与された磁性材の存在が検出信号としてビット出力部２０７へ出力される。
【０１３２】
ビット出力部２０７は、入力された検出信号に基づき「１」または「０」の値で表現されたビットの情報に変換し、複写機１０の制御部１１へ出力される。
【０１３３】
なお、ビット出力部２０７からは、原稿３４に付与された磁性材が発した電磁波が検出された場合は、例えば「１」の値、検出されなかった場合は、例えば「０」の値で表現されて出力される。
【０１３４】
このように構成された情報検知装置３００が原稿３４に付与された各磁性材のうちの少なくとも１つ以上の磁性材を検知する動作について図１５を参照しながら詳細に説明する。
【０１３５】
図１５において、図１５（ａ）は、磁性材４１１、４１２、４１３、４１４が付与された原稿３４を示す図であり、図１５（ｂ）は、情報検知装置３００の検知回路２０４で検出された原稿３４に付与された各磁性材のうちの少なくとも１つ以上の磁性材が発する電磁波の検出信号の一例を示す図である。  
図１５（ａ）に示すように、原稿３４には前述の図８で示した原稿３２の各磁性材３１１、３１２、３１３、３１４の配置に対応した位置に磁性材４１１、４１２、４１３、４１４が付与されている。
【０１３６】
各磁性材４１１、４１２、４１３、４１４は、フェライトやアモルファス等の細い薄箔の磁性材で、外部から磁界を受けることで寸法変化を起こす、いわゆる磁歪特性を有している。
【０１３７】
各磁性材は、長さが等しく同一の共振周波数（例えばｆ１、詳細は後述する）を有している。
【０１３８】
このような各磁性材に対して低周波から高周波へ、もしくは高周波から低周波へ順次変化する所定の交番磁界を与えると、各磁性材は、特定の周波数の交番磁界を受けた時に最も大きく磁歪振動する。
【０１３９】
また、各磁性材が最も大きく磁歪振動する交番磁界の周波数は、各磁性材の大きさや形状等に対応した保磁力よって異なり、各磁性材の大きさや形状等に応じてそれぞれ固有の周波数（以下、「共振周波数」という。）を有する。
【０１４０】
また、逆に各磁性材が磁歪振動することで、各磁性材が寸法変化を起こし、各磁性材から電磁波が発せられる。
【０１４１】
このようなことから、各磁性材が付与された原稿３４に対して磁性材固有の共振周波数に対応した交番磁界を与えると、交番磁界の磁束の向きと、磁性材の磁化容易軸方向とが平行に配置されている磁性材が最も大きく磁歪振動し、当該磁性材が発する電磁波を検出することで原稿３４に付与された各磁性材のうちの何れかの磁性材の存在を検出することができる。
【０１４２】
具体的には、交番磁界を受けて最も大きく磁歪振動する共振周波数がｆ１の磁性材が励磁コイル１２５を介して発せられる所定の低周波から所定の高周波へ順次変化する交番磁界を受けると、交番磁界の周波数がｆ１近傍の時に、当該磁性材が磁歪振動し、電磁波を発する。
【０１４３】
当該磁性材から発せられた電磁波は、検知コイル１２６を介して受信され、検知回路２０４により図１５（ｂ）に示すような検出信号Ｌで検出される。
【０１４４】
ビット出力部２０７は、検知回路２０４により検出された検出信号Ｌに基づき、例えば交番磁界の周波数がｆ１近傍での検出信号の有無の情報をビット情報に対応付けを行い、図１５（ｂ）に示すような検出信号Ｌが原稿３４から検出された場合は、検出信号に基づきビット出力部２０７が交番磁界の周波数がｆ１近傍での検出信号が「有」で「１」の情報に対応付けを行い、原稿３４に付与された磁性材の存在有無の検知結果を「１」のビット情報として出力する。
【０１４５】
なお、情報検知装置３００は、所定の低周波から所定の高周波へ連続して直線的に変化する交番磁界を励磁コイル１２５を介して間欠的に発信し、交番磁界の発信が一時停止された一定時間内で磁性材４１１、４１２、４１３、４１４の磁歪振動により発する電磁波を検知コイル１２６を介して受信するので、励磁コイル１２５が検知コイル１２６を兼ねるような構成としてもよい。
【０１４６】
これまでは、情報検知装置１００、２００、３００の励磁コイル１０１、１２１、１２３、１２５及び検知コイル１０２、１２２、１２４、１２６を複写機１０のプラテンカバー１５の内部に配置し、複写機１０のプラテンガラス１４上に置かれた原稿に付与された磁性材の検出出力が最大で検出できるような場合を想定して説明したが、励磁コイル及び検知コイルの配置位置は、情報検知装置１００、２００、３００が適用される装置と用途に応じて励磁コイル及び検知コイルを最適位置に配設することで原稿に付与された磁性材の検出出力が最大で検出できるようになる。
【０１４７】
具体的には、図１６の複合機２０の場合を例に説明すると、図１６に示すように図１６（ａ）は、複合機２０の概略の斜視図を示す図、図１６（ｂ）、（ｃ）は、図１６（ａ）に示した複合機２０での励磁コイル１２７及び検知コイル１２８が配設される配置位置の拡大図をそれぞれ示しており、複合機２０は、印刷装置と複写機の機能を備えている。
【０１４８】
この複合機２０は、原稿の画像を読み取る際には、複合機２０のプラテンガラス２０４上（図１６（ｂ）参照）に原稿を載置して複写する方法と、原稿挿入口２０２（図１６（ａ）参照）から挿入された原稿を原稿移動経路に沿って移動させながら原稿の画像を読み取り、複写する方法とが可能なように構成されており、複合機２０のプラテンカバー内に情報検知装置１００、２００、３００の励磁コイル１２７及び検知コイル１２８を配設し、プラテンガラス２０４上に置かれた原稿、もしくは原稿挿入口２０２から挿入された原稿に付与された磁性材の検出出力が最大で検出できるような構成としてもよい。
【０１４９】
原稿に付与された磁性材が励磁コイル１２７からの交番磁界を受けて磁化反転時に発する磁気パルスもしくは磁歪振動により発する電磁波は、検知コイル１２８で受信され、前述で説明した情報検知装置１００、２００、３００の検知動作と同様に検知される。
【０１５０】
また、複合機２０の排紙トレイ２０４の下面に励磁コイル１２７及び検知コイル１２８を配設し（図１６（ｃ）参照）、機密情報等を磁性材が付与された用紙に印刷し、複合機２０により印刷出力された印刷物が排紙トレイ２０４に排紙されることで印刷物に付与された磁性材の検出出力を最大で検出できるような構成としてもよい。
【０１５１】
この場合は、排紙トレイ２０４上に蓄積されていた印刷物のうちの磁性材が検知されていた印刷物が排紙トレイ２０４から取り出されることで、磁性材が検知されなくなり、その際に通知音を発して機密情報等が印刷された印刷物が排紙トレイ２０４から取り出されたことを通知することで不用意に許可されてない者によって機密情報の印刷物が持ち出されることを防止することが可能となる。
【図面の簡単な説明】
【０１５２】
【図１】本発明に係わる情報検知装置１００を備えた複写機１０の概略図
【図２】情報検知装置１００の要部の構成を示すブロック図
【図３】原稿に付与された磁性材と励磁コイル１０１及び検知コイル１０２との配置位置による磁性材の磁気特性を示す図
【図４】磁性材３０１、３０６が発する磁気パルスの検出信号波形を示す図
【図５】磁性材３０３、３０４が発する磁気パルスの検出信号波形を示す図
【図６】磁性材３０２、３０５が発する磁気パルスの検出信号波形を示す図
【図７】原稿に付与された磁性材が発する磁気パルスの検出出力が最大で検出されるように原稿に付与される磁性材の配置位置と、各コイルの形状及び配置位置を示す図
【図８】原稿に付与された磁性材が発する磁気パルスの検出出力が最大で検出されるように４本の磁性材が付与された原稿３２示す図である。
【図９】原稿３２を横置きした場合の紙面（表裏）に対応した各コイルと４本の磁性材との位置関係を示す図
【図１０】原稿３２を縦置きした場合の紙面（表裏）に対応した各コイルと４本の磁性材との位置関係を示す図
【図１１】各コイル形状が長方形で２組配置されている場合での磁性材が発する磁気パルスの検出出力が最大で検出される原稿３３に付与された磁性材の配置位置を示す図
【図１２】原稿３３を横置きした場合の紙面（表裏）に対応した各コイルと３本の磁性材との位置関係を示す図
【図１３】原稿３３を縦置きした場合の紙面（表裏）に対応した各コイルと３本の磁性材との位置関係を示す図
【図１４】情報検知装置１００とは他の磁歪振動する磁気特性を有する磁性材を検知する情報検知装置２００の要部の構成を示すブロック図
【図１５】磁歪振動する磁性材４１１、４１２、４１３、４１４が発する電磁波の検出信号波形を示す図
【図１６】複合機２０に適用された情報検知装置１００、２００の各コイルの配置位置の一例を示す図
【符号の説明】
【０１５３】
１、３０、３１、３２、３３、３４  原稿
１０    複写機
１１    制御部
１２    画像読取処理部
１３    画像生成処理部
１４    プラテンガラス
１５、２０１  プラテンカバー
１６    用紙トレイ
１７、２０４  排紙トレイ
２０    複合機
１００、２００、３００  情報検知装置
２０２  原稿挿入口
２０３  原稿排紙トレイ
１０１、１２１、１２３、１２５、１２７  励磁コイル
１０２、１２２、１２４、１２６、１２８  検知コイル
１１１、１１２、１１３、１１４、３０１、３０２、３０３、３０４、３０５、３０６、３１１、３１２、３１３、３１４、３１５、３１６、３１７、３１８、３３１、３３２、３３３  磁性材（大バルグハウゼン効果の磁気特性を有する）  
１０３、２０３  励磁回路
１０４、２０４  検知回路
１０５  タイミング制御部
１０６  信号処理部
３１０  磁気履歴曲線（磁性材３０１、３０６）
３２０  磁気履歴曲線（磁性材３０３、３０４）
３３０  磁気履歴曲線（磁性材３０２、３０５）
３４１  原稿３３の長手方向の垂直２等分線
３４２  原稿３３の短手方向の垂直２等分線
４０１、５０１、６０１  交番磁界信号波形
４００  検出信号波形（磁性材３０１、３０６）
５００  検出信号波形（磁性材３０３、３０４）
６００  検出信号波形（磁性材３０２、３０５）
４１１、４１２、４１３、４１４  磁性材（磁歪振動の磁気特性を有する）  
【図１】
2006195891.tif 000003
【図２】
2006195891.tif 000004
【図３】
2006195891.tif 000005
【図４】
2006195891.tif 000006
【図５】
2006195891.tif 000007
【図６】
2006195891.tif 000008
【図７】
2006195891.tif 000009
【図８】
2006195891.tif 000010
【図９】
2006195891.tif 000011
【図１０】
2006195891.tif 000012
【図１１】
2006195891.tif 000013
【図１２】
2006195891.tif 000014
【図１３】
2006195891.tif 000015
【図１４】
2006195891.tif 000016
【図１５】
2006195891.tif 000017
【図１６】
2006195891.tif 000018